(57)【要約】      （修正有）【課題】池浄化や循環水の浄化に用いる、設置、メンテナンスに多大の労力を必要とせず、逆洗時に大量の逆水洗水を必要としない、ろ過装置の提供。【解決手段】布表面に補足された浮遊物質量が増え、閉塞が進んでも、内筒と外筒の間に充填された樹脂円筒中空成形品が筒内を布に接触しながら旋回しており、その際布の表面に堆積した付着物を逐次取り除くことで閉塞を押えるろ過装置。縦に並べた二重円筒管の上部一端を同一の天板２０に固定し、内筒のもう一端は底板１７で密閉し、多数の孔のあいた内筒１４には円筒に縫製した布１５を被せ、上下をバンド１６で固定し、外筒は旋回流が発生するよう接続された流入口１１と、下部はホッパー構造１９を有し、最下部には自動開閉するバルブを取り付け、内筒と外筒の隙間に発泡した樹脂成形品２３が充填されているろ過装置である。【選択図】図２
2019098315.tif 000002
【特許請求の範囲】
【請求項１】
縦に並べた二重円筒管の外筒はポンプで圧送された液体を旋回流が発生するよう設けられた流入口と、上部にはフランジを、下部はホッパー構造を、最下部には外部への接続口を有し、内筒は上部をフランジ径と同じ径に加工した天板に密着固定し、天板の中心部は外部への接続口を有し、内筒には多数の孔が空いた構造で、内筒のもう一端は底板で密閉し、内筒表面には円筒に縫製した伸縮性を有する布を被せ、上下をバンドで固定し、内筒と外筒の隙間に樹脂製の成形品が充填されており、さらに外部に自動で開閉する３基のバルブを組み合わせ円筒内の液体の流れを制御できることを特徴とするろ過装置。
【発明の詳細な説明】
【技術分野】
【０００１】  本発明は所謂、ろ過装置に関するものである。
【背景技術】
【０００２】  従来、池浄化や循環水の浄化に加圧式、重力式、遠心式、真空式といった様々なろ過装置が使用されている。中でも一般的に採用されている砂ろ過装置があるが、これは大量の砂を用いてろ過を行うため、装置の重量が増え、設置やメンテナンスに多大な労力が必要であった。また、閉塞が進んだ際の逆洗時、大量の逆洗水が必要となる課題があった。
【先行技術文献】
【特許文献】
【０００３】
【特許文献１】特開２０１６−６８０４２
【発明の概要】
【発明が解決しようとする課題】
【０００４】  即ち、従来のろ過器では大量の砂を用いてろ過を行うため、装置の重量が増え、設置やメンテナンスに多大な労力が必要となるといった課題があった。また、閉塞が進んだ際の逆洗時、大量の逆洗水が必要であった。
【課題を解決するための手段】
【０００５】  本発明は、この従来の課題を解決する手段として、縦に並べた二重円筒管の上部一端を同一の天板に固定し、天板の中心部は外部への接続口を有し、内筒には多数の孔が空いた構造でもう一端は板で密閉し、内筒表面に円筒に縫製した布を被せ、上下をバンドで固定し、外筒はポンプで圧送された液体を旋回流が発生するよう設けられた流入口と、下部はホッパー構造を有し、最下部には外部への接続口を有し、内筒と外筒の隙間に樹脂成形品が充填されており、さらに外部に自動で開閉する３基のバルブを組み合わせ円筒内の液体の流れを制御できることを特徴とするろ過装置である。
【発明の効果】
【０００６】  本発明のろ過器は、布に原水を通して、布目より大きな浮遊物質を補足することでろ過を行う。ろ過が進むにつれて布表面に補足された浮遊物質量が増え、閉塞が進むが、内筒と外筒の間に充填された樹脂円筒中空成形品が筒内を布に接触しながら旋回しており、その際布の表面に堆積した付着物を逐次取り除くことで閉塞を押えている。取り除かれた付着物は徐々に降下し、最終的に外筒下部のホッパー部に蓄積する。
【図面の簡単な説明】
【０００７】
【図１】本発明のろ過器のフロー図である。
【図２】本発明のろ過器本体の断面詳細図である。
【図３】図２におけるＡ−Ａ断面図である。
【発明を実施するための形態】
【０００８】  次に、本発明を実施するための形態について実施例を図１〜図３について説明する。
【０００９】  図１において、１は本発明のろ過器本体で処理の中心的な役割を果たす。２〜４の３基の自動切替弁を制御することでろ過器本体内部の水の流れを変えることができる。６は循環運転中の流体圧力を測定している。７は浄化対象となる原液であり、湖沼や池の水である。ポンプ８は原水をろ過器に送り込むことと、自動切替弁の制御により逆洗時は逆洗水を送り込むために用いられる。排水ピット９は逆洗時、固形物が濃縮された排出水を放流するピットである。
【００１０】  図２はろ過器本体１の断面詳細図で、循環水出口・逆洗水入口１０、及び循環水入口１１、逆洗水出口１２外部への接続口を有している。外筒１３は、上部はフランジ２１が接合され、下部はホッパー１９が接合され逆洗水出口１２へとつながっている。ホッパー１９には金網１８が固定されている。内筒１４は多数の孔のあいた構造で、上部は天板２０に接合され、下部は底板１７で塞がれている。内筒側面には円筒に縫製された布１５を被せ、上下を固定バンド１６で締めつけている。外筒と内筒の間の空間には樹脂製成形品２３が充填されている。
フランジ２１と天板２０は間にパッキン２２をはさみボルト・ナット５で固定されている。
【００１１】  図３は図２におけるＡ−Ａ断面図で流入した原水が外筒と内筒の間の空間で旋回流が発生しやすくなるよう、中心から偏心した箇所に循環水入口１１が取り付けられていることを示している。
【００１２】  次に、実際の動きについて説明する。通常のろ過運転時、ろ過水切替弁２が開で、排出水切替弁４は閉となっている。ろ過・逆洗切替弁３はポンプ８から圧送された原水は通過するが、ろ過器本体１の側面の循環水入口１１への水路が開き、循環水出口・及び逆洗水入口への水路は閉じている。ポンプ８から圧送される原水は外筒側面の循環水入口１１を通過し、筒内に送り込まれ、外筒と内筒の隙間を沿うように流れ、旋回流を発生させる。旋回流により、外筒と内筒の間に充填された樹脂製成形品が筒内を共に旋回する。流入した原水は布１５を通過し内筒の内側へ送り込まれる。この際、微少な浮遊物質が補足され筒内には清澄な水のみとなっており、上部の循環水出口から排出され、湖沼、池７へ返送される。
【００１３】  布を通じてろ過を継続すると、通常すぐに浮遊物質の堆積で閉塞が進み、ろ過圧の上昇や、ろ過水量が低下する。しかし、本発明のろ過装置は布の表面を樹脂製成形品が旋回することで、表面に堆積した捕捉物を絶えず剥離させている。剥離した物質は再び布に捕捉されるものもあるが、ろ過圧で布に押し付けられる際、浮遊物質同士が結合し粒子が大きくなる。結果、剥離した際、元の微小な浮遊物質より沈降しやすい特性を持つため、剥離と捕捉を繰り返しながら徐々に下降していく。最終的に旋回流から逃れた物質は下部ホッパー１９にまでたどり着き、金網を通過し、そのまま堆積していく。そのため比較的長時間にわたり、ろ過圧の上昇や、ろ過水量の低下を招くことなくろ過を継続することが可能となる。
【００１４】  ろ過を継続していくと、原水の浮遊物質の濃度や、初期粒子径により時間は異なるが、徐々に補足された粒子が剥離しないまま布の表面に留まってしまう箇所や、布目の奥にまで入り込む粒子が増えることにより、徐々にろ過圧の上昇、ろ過水量の低下が進んでいく。その際は逆洗の工程に移るが、これは圧力計６の設定圧力にまで上昇するか、または原水の性状が一定でろ過圧の上昇速度が把握できていればタイマーにより、逆洗工程への移行を自動で行うことが可能である。
【００１５】  逆洗工程の際は各種切替弁が切り替わることで行う。逆洗工程に移る際、ろ過水切替弁２とが閉となり、排出水切替弁４は開となる。ろ過・逆洗切替弁３はポンプ８から圧送された原水は通過するが、ろ過器本体１の側面の循環水入口１１への水路が閉じ、循環水出口・及び逆洗水入口への水路が開となる。弁が切り替わったことにより流れの向きが変わり、ポンプから送られた原水は逆洗水入口１０から内筒の内側に流入し、布を通じて内筒の外側に流れ出る。そのまま下部に設けられた逆洗水出口より、ろ過工程中にホッパーに蓄積した堆積物と共に排水ピット９へと排出される。布１５の表面の補足物は逆洗水の内側からの水の流れで剥離する。また布１５は伸縮性を有しているため、逆洗水の流れで内側からの圧力で広げられ、布目が開くことで、布目の奥にまで補足された物質についても剥離させることが可能になっている。逆洗水の流れに沿って樹脂製成形品の一部が流れ出ようとするが、金網１８に開けられている穴は樹脂製成形品より小さくなっているため、外部へ流れ出ることはない。
【００１６】  布に補足された物質を剥離させるだけなので、逆洗時間は約２０秒程度で完了でき、立体的に物質を補足する砂ろ過器のような長時間の逆洗は不要である。そのため、少量の排水量で運転を行うことが可能となっている。
【００１７】  フランジと天板はボルト・ナット５で固定されているので、外筒から内筒を取り外すことが可能なため、布や樹脂製成形品の経年による劣化で交換を行うことも可能である。
【産業上の利用可能性】
【００１８】  本発明は湖沼・池の浄化を目的としたろ過装置であるが、布の仕様を変えることで、各種液体を対象としたろ過を実施することができる。
【符号の説明】
【００１９】１    ろ過器本体
２    ろ過水切替弁
３    ろ過・逆洗水切替弁
４    排出水切替弁
５    ボルト・ナット
６    圧力計
７    湖沼・池等の浄化対象
８    ポンプ
９    排水ピット
１０  循環水出口、及び逆洗水入口
１１  循環水入口
１２  逆洗水出口
１３  外筒
１４  内筒
１５  伸縮性を有する布
１６  固定バンド
１７  底板
１８  金網
１９  ホッパー
２０  天板
２１  フランジ
２２  パッキン
２３  樹脂製成形品
【図１】
2019098315.tif 000003
【図２】
2019098315.tif 000004
【図３】
2019098315.tif 000005